(57)【要約】【課題】データを移動させるための時間をかけることなく別の装置で映像や音声を再生できるようにした放送受信装置およびそのような再生を可能にするデータ記録方法を提供する。【解決手段】デジタル放送受信装置１１は、番組データをその番組データ固有の第１の鍵データにより暗号化して記録媒体に記録させ、第１の鍵データを第２の鍵データを用いて暗号化して鍵データ記憶手段に記憶させ、第２の鍵データを用いて暗号化された第１の鍵データを第２の鍵データを用いて復号化し、かつその復号化された第１の鍵データを記録媒体固有の第３の鍵データを用いて暗号化して記録媒体に記録させる。【選択図】図６
2009060518.tif 000002
【特許請求の範囲】
【請求項１】
デジタル放送の放送信号を選択して受信するチューナと、
着脱可能な記録媒体が接続される接続部と、
前記チューナが前記放送信号を受信して得られる番組データを第１の鍵データを用いて暗号化する番組データ暗号化手段と、
前記番組データ暗号化手段により暗号化された前記番組データを前記接続部に接続されている前記記録媒体に記録させる番組データ記録制御手段と、
前記第１の鍵データを第２の鍵データを用いて暗号化する鍵データ暗号化手段と、
前記鍵データ暗号化手段により暗号化された前記第１の鍵データを前記鍵データ暗号化手段が用いた前記第２の鍵データを用いて復号化する鍵データ復号化手段と、
前記鍵データ暗号化手段により暗号化された前記第１の鍵データを前記鍵データ復号化手段に復号化させ、かつその復号化された前記第１の鍵データを前記鍵データ暗号化手段に前記記録媒体固有の第３の鍵データを用いて暗号化させて前記記録媒体に記録させる鍵データ記録制御手段とを有することを特徴とする放送受信装置。
【請求項２】
前記鍵データ記録制御手段は、前記鍵データ暗号化手段が前記第２の鍵データを用いて暗号化した前記第１の鍵データを前記記録媒体に記録させ、
前記鍵データ記録制御手段が前記鍵データ暗号化手段により前記第３の鍵データを用いて暗号化された前記第１の鍵データを前記記録媒体に記録させたときに、前記第２の鍵データを用いて暗号化され、前記記録媒体に記録されている前記第１の鍵データを使用不能にする鍵データ不能化手段を更に有することを特徴とする請求項１記載の放送受信装置。
【請求項３】
前記第１の鍵データの複製回数を計数する計数手段と、
前記鍵データ不能化手段は、前記計数手段が計数する前記複製回数と複製上限回数とが一致したときに、前記第２の鍵データを用いて暗号化された前記記録媒体に記録されている前記第１の鍵データを使用不能にすることを特徴とする請求項２記載の放送受信装置。
【請求項４】
前記記録媒体に記録されている前記番組データのいずれかを選択させる選択制御手段と、
前記選択制御手段の制御により選択された選択番組データについての複製可否および複製可である場合の複製制限を検知する検知手段と、
前記検知手段の検知結果に応じて前記鍵データ不能化手段が前記第１の鍵データを使用不能にするように制御する不能化制御手段と、
前記鍵データ不能化手段により前記第１の鍵データが使用不能にされたときに、前記選択制御手段の制御により選択された選択番組データについて、前記記録媒体への移動済みであることを示す移動済み表示を行わせる表示制御手段とを有することを特徴とする請求項３記載の放送受信装置。
【請求項５】
前記番組データについての複製可否および複製可である場合の複製制限を示す複製情報を前記第２の鍵データを用いて暗号化する複製情報暗号化手段と、
前記複製情報暗号化手段により暗号化されている前記複製情報を前記第２の鍵データを用いて復号化する複製情報復号化手段と、
前記複製情報復号化手段により復号化された前記複製情報に基づいて、前記番組データについての複製可否および複製可である場合の複製制限を判定する判定手段と、
前記番組データ記録制御手段が前記番組データを前記記録媒体に記録させるときに、前記複製情報暗号化手段により暗号化された前記複製情報を前記記録媒体に記録させる複製情報記録制御手段と、
前記記録媒体に記録されている前記番組データを他の記録媒体に記録するときに、前記複製情報復号化手段により前記複製情報を復号化させ、該復号化された前記複製情報に基づく前記判定手段の判定結果に従い、前記番組データを移動または複製させる番組データ処理手段とを更に有することを特徴とする請求項１〜４のいずれか一項記載の放送受信装置。
【請求項６】
前記番組データを用いて映像を表示する映像表示手段を更に有することを特徴とする請求項１〜５のいずれか一項記載の放送受信装置。
【請求項７】
デジタル放送の放送信号を選択して受信するチューナと、着脱可能な記録媒体が接続される接続部とを備えた放送受信装置に適用されるデータ記録方法であって、
前記チューナが前記放送信号を受信して得られる番組データを第１の鍵データを用いて暗号化して、前記接続部に接続されている前記記録媒体に記録させ、
第２の鍵データを用いて暗号化された前記第１の鍵データを前記第２の鍵データを用いて復号化し、かつその復号化された前記第１の鍵データを前記記録媒体固有の第３の鍵データを用いて暗号化して前記記録媒体に記録させることを特徴とするデータ記録方法。
【発明の詳細な説明】
【技術分野】
【０００１】
本発明は、地上放送、衛星放送等のテレビ放送の受信手段を備えた放送受信装置およびその放送受信装置に適用されるデータ記録方法に関する。
【背景技術】
【０００２】
従来、地上放送、衛星放送等のテレビ放送の受信手段を備えた放送受信装置は様々なタイプのものが実用化されている。近年の放送受信装置は従来のアナログ放送に加えてデジタル放送の放送信号を受信し、受信した放送信号から取り出した映像信号を用いて番組の映像を表示するデジタル放送に対応した装置が普及している。
【０００３】
この種の放送受信装置では、受信した放送信号から得られる映像データを記録媒体に記録したり、記録した映像データを用いて映像信号を再生することも可能であるが、デジタル放送を受信して得られる映像データや音声データといった番組データはデジタルデータであり、劣化させることなく複製することが可能である。
【０００４】
そのため、放送受信装置では、映像データや音声データといった番組データの他の装置への移動および他の装置での再生を制限している。この点に関し、従来、次のようなデータ記録制御装置が特許文献１に開示されている。このデータ記録制御装置は、ＴＶ装置により暗号化された複製不可コンテンツのＴＶ装置からＨＤＤへの送信完了をＴＶ装置が認識し、その複製不可コンテンツを消去した後、複製不可コンテンツの復号鍵をＴＶ装置からＨＤＤへ送信するようになっている。
【特許文献１】特開２００５−６３０６８号公報
【０００５】
なお、放送コンテンツのコピー制御や外部メディアへの出力制御については、ＡＲＩＢ(電波産業会)で発行するＡＲＩＢ  ＴＲ-Ｂ１４  第８編に記載されている。
【発明の開示】
【発明が解決しようとする課題】
【０００６】
前述の従来技術のようにして映像データや音声データといった番組データを移動すれば、移動先の記録媒体に記録されているデータを用いて、放送信号を受信した装置とは別の装置で映像や音声を再生することも可能となる。
【０００７】
しかしながら、映像データや音声データといった番組データを移動させる場合、データを移動するのに時間がかかり、データを移動している間は映像や音声の再生を待たねばならなかった。
【０００８】
そこで、本発明は上記課題を解決するためになされたもので、データを移動させるための時間をかけることなく別の装置で映像や音声を再生できるようにした放送受信装置およびそのような再生を可能にするデータ記録方法を提供することを目的とする。
【課題を解決するための手段】
【０００９】
上記課題を解決するため、本発明は、デジタル放送の放送信号を選択して受信するチューナと、着脱可能な記録媒体が接続される接続部と、チューナが放送信号を受信して得られる番組データを第１の鍵データを用いて暗号化する番組データ暗号化手段と、番組データ暗号化手段により暗号化された番組データを接続部に接続されている記録媒体に記録させる番組データ記録制御手段と、第１の鍵データを第２の鍵データを用いて暗号化する鍵データ暗号化手段と、鍵データ暗号化手段により暗号化された第１の鍵データを鍵データ暗号化手段が用いた第２の鍵データを用いて復号化する鍵データ復号化手段と、鍵データ暗号化手段により暗号化された第１の鍵データを鍵データ復号化手段に復号化させ、かつその復号化された第１の鍵データを鍵データ暗号化手段に記録媒体固有の第３の鍵データを用いて暗号化させて記録媒体に記録させる鍵データ記録制御手段とを有する放送受信装置を特徴とする。
【００１０】
また、本発明は、デジタル放送の放送信号を選択して受信するチューナと、着脱可能な記録媒体が接続される接続部とを備えた放送受信装置に適用されるデータ記録方法であって、チューナが放送信号を受信して得られる番組データを第１の鍵データを用いて暗号化して、接続部に接続されている記録媒体に記録させ、第２の鍵データを用いて暗号化された第１の鍵データを第２の鍵データを用いて復号化し、かつその復号化された第１の鍵データを記録媒体固有の第３の鍵データを用いて暗号化して記録媒体に記録させるデータ記録方法を提供する。
【発明の効果】
【００１１】
以上詳述したように、本発明によれば、データを移動させるための時間をかけることなく別の装置で映像や音声を再生できるようにした放送受信装置およびそのような再生を可能にするデータ記録方法が得られる。
【発明を実施するための最良の形態】
【００１２】
以下、本発明の実施の形態について説明する。なお、同一要素には同一符号を用い、重複する説明は省略する。
【００１３】
図１は、本発明の実施の形態に係るデジタル放送受信装置１１と、デジタル放送受信装置１１に接続されるメモリカード１９と、ＨＤＤ２５を示す図である。
【００１４】
ＨＤＤ２５は、後述するＬＡＮ端子２１に接続されるＨＤＤやＵＳＢ等のインターフェースを利用して接続されるＨＤＤである。
【００１５】
デジタル放送受信装置１１はＨＤＤ２５が接続されているときに放送信号を受信して得られる映像データや音声データといった番組データをＨＤＤ２５のハードディスクに記録して番組の録画を行うことができる。また、デジタル放送受信装置１１はメモリカード１９が後述するカードホルダ６６に装着されているときに、番組データをメモリカード１９に記録して番組の録画を行うこともできる。
【００１６】
次に、図２は、デジタル放送受信装置１１と、デジタル放送受信装置１１を中心として構成されるネットワークシステム９０の構成を示すブロック図である。
【００１７】
デジタル放送受信装置１１は図２に示すように、キャビネット１２と、キャビネット１２を起立させて支持する支持台１３とを有している。キャビネット１２は液晶表示パネルを備えた平面パネル型の液晶表示装置１４と、音声を出力する音声出力手段としてのスピーカ１５と、操作部１６とを有し、また、リモートコントローラ１７から送信される操作情報を受ける受光部１８を有している。
【００１８】
デジタル放送受信装置１１は映像を表示する映像表示手段としての液晶表示装置１４によって映像を表示する映像表示装置であって、後述するチューナ４５などが放送信号を受信して得られる番組データまたはメモリカード１９やＨＤＤ２５から読み取られる番組データを用いて映像を表示する。
【００１９】
メモリカード１９は、例えばＳＤ（Secure  Digital）メモリカード、ＵＳＢメモリ等のデジタル放送受信装置１１に対する着脱可能な記録媒体である。
【００２０】
そして、デジタル放送受信装置１１は、ＬＡＮ（Local  Area  Network）端子２１を有している。ＬＡＮ端子２１は、イーサネット（登録商標）を用いた一般的なＬＡＮ対応ポートとして使用される。このＬＡＮ端子２１は、例えばハブ２６を介して、ＬＡＮ対応のＨＤＤ２５が接続される。そのほか、図示しないＰＣ（Personal  Computer）、ＨＤＤ内蔵のＤＶＤ（Digital  Versatile  Disk）レコーダ等の機器が接続され、これらの機器と情報伝送を行うために使用される。ＬＡＮ端子２１はＨＤＤ２５が接続される接続部としての機能を有している。
【００２１】
次に、図３を参照してデジタル放送受信装置１１の内部の構成について説明する。図３はデジタル放送受信装置１１の内部の主要な構成を示すブロック図である。
【００２２】
デジタル放送受信装置１１は、入力端子４４，４９、チューナ４５，５０，５２およびＰＳＫ（Phase  Shift  Keying）復調器４６を有している。また、デジタル放送受信装置１１は、信号処理部４７、ＯＦＤＭ（Orthogonal  Frequency  DivisionMultiplexing）復調器５１、アナログ復調器５３、グラフィック処理部５４、音声処理部５５、ＯＳＤ信号生成部５７および映像処理部５８を有している。
【００２３】
入力端子４４には、ＢＳ／ＣＳデジタル放送受信アンテナ４３が捕らえた衛星デジタル放送信号が入力される。衛星デジタル放送信号は入力端子４４からチューナ４５に供給される。チューナ４５は衛星デジタル放送用のチューナであって、供給される衛星デジタル放送信号から所望のチャンネルの放送信号を選択して受信する。
【００２４】
このチューナ４５で選局された放送信号はＰＳＫ復調器４６に供給される。ＰＳＫ復調器４６はデジタルの映像信号及び音声信号の復調処理を行い、信号処理部４７に出力する。
【００２５】
入力端子４９には、地上放送受信アンテナ４８が捕らえた地上デジタル放送信号が入力される。地上デジタル放送信号は入力端子４９からチューナ５０に供給される。チューナ５０は地上デジタル放送用のチューナであって、供給される地上デジタル放送信号から所望のチャンネルの放送信号を選択して受信する。
【００２６】
このチューナ５０で選局された放送信号はＯＦＤＭ復調器５１に供給される。ＯＦＤＭ復調器５１はデジタルの映像信号及び音声信号の復調処理を行い、信号処理部４７に出力する。
【００２７】
また、入力端子４９には、地上放送受信アンテナ４８が捕らえた地上アナログ放送信号が入力される。地上アナログ放送信号は入力端子４９からチューナ５２に供給される。チューナ５２は地上アナログ放送用のチューナであって、供給される地上アナログ放送信号から、所望のチャンネルの放送信号を選択して受信する。
【００２８】
このチューナ５２で選局された放送信号はアナログ復調器５３に供給される。アナログ復調器５３は、アナログの映像信号及び音声信号の復調処理を行い、信号処理部４７に出力する。
【００２９】
信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力する。
【００３０】
また、信号処理部４７には、複数（図示の場合は４つ）の入力端子５６ａ，５６ｂ，５６ｃ，５６ｄが接続されている。これら入力端子５６ａ〜５６ｄは、外部装置としての図示しないＤＶＤレコーダなどから、アナログの映像信号及び音声信号を入力可能とするものである。
【００３１】
そして、この信号処理部４７は、アナログ復調器５３及び各入力端子５６ａ〜５６ｄからそれぞれ供給されたアナログの映像信号及び音声信号を選択的にデジタル化する。また、信号処理部４７は、デジタル化された映像信号及び音声信号に対して所定のデジタル信号処理を施した後、グラフィック処理部５４及び音声処理部５５に出力する。
【００３２】
グラフィック処理部５４は、信号処理部４７から供給されるデジタルの映像信号に、ＯＳＤ（On Screen Display）信号生成部５７で生成されるＯＳＤ信号を重畳して出力する。このグラフィック処理部５４は、信号処理部４７の出力映像信号と、ＯＳＤ信号生成部５７が出力するＯＳＤ信号とを選択的に出力することと、両出力をそれぞれ画面の半分を構成するように組み合わせて出力することとの双方を行える。
【００３３】
グラフィック処理部５４から出力されたデジタルの映像信号は、映像処理部５８に供給される。この映像処理部５８は、入力されたデジタルの映像信号を、液晶表示装置１４で表示可能なフォーマットのアナログ映像信号に変換した後、液晶表示装置１４に出力する。液晶表示装置１４は、アナログ映像信号を用いて映像を表示する。これらの信号処理部４７、グラフィック処理部５４および映像処理部５８によって映像信号が再生され、これらが映像再生手段を構成している。なお、映像処理部５８はアナログ映像信号を出力端子５９ａを介して外部に導出する。
【００３４】
音声処理部５５は、入力されるデジタルの音声信号をスピーカ１５で再生可能なフォーマットのアナログ音声信号に変換した後、スピーカ１５に出力する。また、音声処理部５５は、アナログ音声信号を出力端子５９ｂを介して外部に導出する。
【００３５】
そして、デジタル放送受信装置１１は、制御部６０と、カードホルダ６６および各種インターフェース（カードＩ／Ｆ６５，通信Ｉ／Ｆ６８）を有している。
【００３６】
制御部６０はＣＰＵ（Central  Processing  Unit）６１、ＲＯＭ(Read  Only  Memory)６２、ＲＡＭ（Random  Access  Memory）６３および不揮発性メモリ６４を有している。この制御部６０は、放送信号の受信動作を含むデジタル放送受信装置１１の動作を統括的に制御する。また、制御部６０は、操作部１６からの操作情報を受け、または、リモートコントローラ１７から送出された操作情報を受光部１８を介して受信し、その操作内容が反映されるように各部をそれぞれ制御している。
【００３７】
ＣＰＵ６１はＲＯＭ６２に記憶されているプログラムにしたがい各種手段（番組データ記録制御手段など）として作動する一方、他の構成要素との信号の入出力を行い、デジタル放送受信装置１１全体の動作制御を行う。
【００３８】
例えば、ＣＰＵ６１は暗号化された番組データをメモリカード１９やＨＤＤ２５に記録させる番組データ記録制御手段としての動作を行う。
【００３９】
ＲＯＭ６２は、主としてＣＰＵ６１が実行する制御プログラムを格納している。ＲＡＭ６３は、ＣＰＵ６１に作業エリアを提供する。不揮発性メモリ６４は、各種の設定情報や制御情報が格納されている。
【００４０】
そして、制御部６０は、カードＩ／Ｆ（Interface）６５を介してカードホルダ６６に接続されている。カードホルダ６６はメモリカード１９を装着して、デジタル放送受信装置１１とメモリカード１９とを接続するための接続部としての機能を有している。制御部６０は、カードホルダ６６に装着されたメモリカード１９と、カードＩ／Ｆ６５を介して情報伝送を行える。
【００４１】
また、制御部６０は、通信Ｉ／Ｆ６８を介してＬＡＮ端子２１に接続されている。これにより、制御部６０は、ＬＡＮ端子２１に接続されたＨＤＤ２５などの各装置と、通信Ｉ／Ｆ６８を介して情報伝送を行うことができる。
【００４２】
（番組データの認証記録に関わる構成およびその動作内容）
次に、以上の構成を有するデジタル放送受信装置１１における番組データの認証記録に関わる構成およびその動作内容について説明する。
【００４３】
本実施の形態において、番組データの認証記録とは、番組データをメモリカード１９等の着脱可能な記録媒体に自装置または他装置での映像や音声の再生ができるように記録することを意味している。なお、デジタル放送受信装置１１では、番組データの記録先として、メモリカード１９やＨＤＤ２５といった着脱可能な記録媒体のいずれかを選択できるが、以下の説明では、メモリカード１９が選択された場合を想定している。
【００４４】
ここで、図４〜図６は、デジタル放送受信装置１１における番組データの認証記録に関わる構成を図示したブロック図である。
【００４５】
デジタル放送受信装置１１は、図４に示すように、暗号化部９１，９２を有するとともに、図５に示すように、復号化部１２１，１２２を有している。これらは番組データを記録する際、再生する際にそれぞれ次のような動作を行う。
【００４６】
番組データを記録する際、暗号化部９１、９２が作動する。すなわち、暗号化部９１は番組データ暗号化手段としての動作を行い、チューナ４５，５０による放送信号の受信および信号処理部４７の信号処理により得られる番組データ１００をタイトル鍵データ２００を用いて暗号化し、暗号化された番組データ１００ｘを生成する。番組データ１００ｘはメモリカード１９に記録される。
【００４７】
また、暗号化部９２は鍵データ暗号化手段としての動作を行い、タイトル鍵データ２００を装置鍵データ２０１を用いて暗号化することにより、暗号化されたタイトル鍵データ２００ｘを生成する。生成されたタイトル鍵データ２００ｘはＣＰＵ６１が鍵データ記録制御手段としての動作を行い、メモリカード１９に記録される。
【００４８】
こうして、番組データ１００ｘはローカル蓄積された状態となり、メモリカード１９への記録を行ったデジタル放送受信装置１１でのみ番組の再生が可能な状態になる。なお、以上の説明では、タイトル鍵データ２００ｘはメモリカード１９に記録することとしているが、デジタル放送受信装置１１内のメモリ（例えば不揮発性メモリ６４）に記憶させる構成にしてもよい。
【００４９】
ここで、タイトル鍵データ２００は番組データ１００に固有の鍵データであって、第１の鍵データに相当する。また、装置鍵データ２０１はデジタル放送受信装置１１に固有のデータであって、例えば、ＭＡＣ(Media  Access  Control)アドレスを秘密のアルゴリズムにより生成したデータを用いることができる。これは第２の鍵データに相当し、例えば不揮発性メモリ６４に記憶されている。
【００５０】
次に、番組データ１００ｘを用いて番組を再生する際、復号化部１２１，１２２が作動する。復号化部１２１は鍵データ復号化手段としての動作を行い、タイトル鍵データ２００ｘをメモリカード１９から読み出し、暗号化部９２が暗号化のときに用いた鍵データ（装置鍵データ２０１）を用いて復号化し、タイトル鍵データ２００を生成する。
【００５１】
復号化部１２２は復号化部１２１により復号化されたタイトル鍵データ２００を用いて番組データ１００ｘを復号化して番組データ１００を生成する。番組データ１００は映像処理部５８や音声処理部５５に入力され、これにより番組が再生される。
【００５２】
ただし、この状態では、装置鍵データ２０１がデジタル放送受信装置１１内にあるため、メモリカード１９を他のデジタル放送受信装置に接続しても、番組を再生することはできない
【００５３】
そして、以上の暗号化部９１，９２、復号化部１２１，１２２を有するデジタル放送受信装置１１により、上記のようにして記録された番組データ１００ｘを用いて他のデジタル放送受信装置で番組を再生可能にするための動作について説明する。
【００５４】
この場合、図６に示すように、ＣＰＵ６１が鍵データ記録制御手段としての動作を行い、メモリカード１９に記録されているタイトル鍵データ２００ｘを読み出し、復号化部１２１に装置鍵データ２０１を用いて復号化させ、タイトル鍵データ２００を生成する。
【００５５】
続いて、ＣＰＵ６１が生成されたタイトル鍵データ２００を暗号化部９２に媒体鍵データ２０２を用いて暗号化させてタイトル鍵データ２００ｙを生成し、続いて鍵データ記録制御手段としての動作を行い、そのタイトル鍵データ２００ｙをメモリカード１９に記録させる。
【００５６】
ここで、媒体鍵データ２０２とは、カードホルダ６６に装着されているメモリカード１９に固有の鍵データであって、例えばメモリカード１９と認証、鍵交換を行って共有した鍵情報であり、第３の鍵データに相当する。
【００５７】
以上の動作により、番組データ１００ｘとともにタイトル鍵データ２００ｙがメモリカード１９に記録され、番組データ１００ｘとタイトル鍵データ２００ｙが外部メディアに出力された状態になる。
【００５８】
また、記録した番組データ１００ｘに付随するコピー制御データがCOG（copy  one  generation）である場合には、不能化処理部９５が鍵データ不能化手段としての動作を行い、メモリカード１９に記録されているタイトル鍵データ２００ｘを使用できないように使用不能にする不能化処理を行う。この場合、例えば、不能化処理部９５はタイトル鍵データ２００ｘに備えられた不能化フラグに使用不能であることを示すデータをセットする。この不能化フラグはタイトル鍵データ２００ｘと同じ鍵データを用いて暗号化されて保存されるため、このデータを改ざんして不正な再生を行うことはできない。
【００５９】
そして、デジタル放送受信装置１１（番組データ１００ｘの記録を行っていないこともある）がメモリカード１９に記録された番組データ１００ｘを再生するときは、まず、復号化部１２１がメモリカード１９に記録されているタイトル鍵データ２００ｙを読み出し、これを暗号化に用いられたものと同じ媒体鍵データ２０２を用いて復号化してタイトル鍵データ２００を生成する。
【００６０】
次に、復号化部１２２が生成されたタイトル鍵データ２００を用いて番組データ１００ｘを復号化し、これにより生成される番組データ１００を入力として映像処理部５８などが作動して番組が再生されることになる。
【００６１】
以上のように、デジタル放送受信装置１１では、暗号化された番組データ１００ｘを他のデジタル放送受信装置１１で再生したい場合に、その番組データ１００ｘの復号に必要なタイトル鍵データ２００を、暗号化に用いる鍵データを装置鍵データ２０１からメモリカード１９に固有な媒体鍵データ２０２に変更して再暗号化したタイトル鍵データ２００ｙとした上で記録している。こうして、番組データ１００ｘの再暗号化を行うことなくローカル蓄積された状態から外部メディアに出力した状態への変更を実現している。
【００６２】
番組データ１００ｘに付随するコピー制御データがCOG（copy  one  generation）である場合には、装置鍵データ２０１を用いて暗号化していたタイトル鍵データ２００ｘを不能化して使用できないにしている。これにより、着脱可能な記録媒体（外部メディアともいう）へのコピー(COPY)ではなく、移動(MOVE)機能を実現していることになる。
【００６３】
以上の説明では、メモリカード１９に番組データ１００ｘを記録する場合を例にとって説明しているが、番組データ１００ｘと装置鍵データ２０１をＨＤＤ２５に記録し、上記操作を行った場合に媒体鍵データ２０２をメモリカード１９上に記録し、ＨＤＤ２５に記録されている装置鍵データ２０１を不能化する構成にしてもよい。
【００６４】
この番組データを他のデジタル放送受信装置で再生する場合には、メモリカード１９とＨＤＤ２５をともに再生しようとする他のデジタル放送受信装置に接続して、鍵データはメモリカード１９、番組データはＨＤＤ２５にアクセスしてそれぞれ読み出せば、上記同様に番組の再生が可能になる。
【００６５】
また、ＨＤＤ２５がメモリカード１９と同様に認証機能を備えている場合にはＨＤＤ固有の媒体鍵データが同様に生成できる。そのため、媒体鍵データ２０２を用いて暗号化したタイトル鍵データ２００ｙもこのＨＤＤ２５上に記録するようにすれば、ＨＤＤ２５のみを移動することにより、他のデジタル放送受信装置で番組を再生することが可能になる。
【００６６】
このように、デジタル放送受信装置１１では、着脱可能な記録媒体に記録した番組データ１００ｘについて、装置にバインドした状態と、記録媒体にバインドした状態との変更を鍵の再暗号化のみで行うようにしている。これにより、番組データ１００を移動したり、再暗号化を行ったりする時間を省くことができる。
【００６７】
そのため、デジタル放送受信装置１１では、記録した番組データ１００をユーザが他の装置に接続して再生したいという要求に対して、データを移動させるための時間をほとんどかけることなく対応することができる。
【００６８】
なお、メモリカード１９との認証については、例えばＣＰＲＭ（Content  Protection  for  Prerecorded  Media）規格やＡＡＣＳ(Advanced  Access  Content  System)等のコンテンツ保護方式が利用できる。これに対応しているメモリカード１９と、デジタル放送受信装置１１との間において、これらの規定に基づき共有された情報に基づき上記媒体鍵データが生成される。
【００６９】
（映像データの認証記録の別の動作例１）
次に、デジタル放送受信装置１１では、COG（copy  one  generation）の運用変更により、複数回のコピーが可能になった場合の動作を行い、以下その場合の動作例について説明する。
【００７０】
なお、以下の説明では、メモリカード１９に番組データをコピーまたは移動する場合を例にとって説明する。また、以下の説明では、複数回のコピーに際して、コピーできる回数の上限をコピー上限回数としている。
【００７１】
メモリカード１９に番組データを記録する処理に際しては、上述の実施形態と同様であり、コピー上限回数と、コピーを何回行ったかを示すコピー回数については、タイトル鍵データ２００とともに装置鍵データ２０１で暗号化され、回数データ２５０ｘとして管理される。
【００７２】
図７では、デジタル放送受信装置１１から、メモリカード１９、２９，３９にコピーを行う場合を示している。この例ではコピー上限回数を３回としている。
【００７３】
メモリカード１９へのコピーは上記の実施形態と同様であり、この時点で一回コピーしたこことになる。また、メモリカード１９内に記録された番組データ１００ｘはそのままの形でメモリカード２９，３９にコピーされるが、この時点ではまだコピー回数をインクリメントしていない。
【００７４】
そして、暗号化部９２が媒体鍵データ２０３を用いてタイトル鍵データ２００を暗号化してタイトル鍵データ２００ｚを生成する。このタイトル鍵データ２００ｚはメモリカード２９に記録される。媒体鍵データ２０３は、カードホルダ６６に装着されているメモリカード２９に固有の鍵データで、第３の鍵データに相当する。これで２回目のコピーを行ったことになる。
【００７５】
さらに、暗号化部９２が媒体鍵データ２０４を用いてタイトル鍵データ２００を暗号化してタイトル鍵データ２００ｗを生成する。このタイトル鍵データ２００ｗはメモリカード３９に記録される。媒体鍵データ２０４は、カードホルダ６６に装着されているメモリカード３９に固有の鍵データで、第３の鍵データに相当する。これで３回目のコピーを行ったことになる。
【００７６】
そして、デジタル放送受信装置１１のＣＰＵ６１におけるコピー回数のカウントと不能化処理部９５の動作の制御は図８に示すような手順で行われる。すなわち、ＣＰＵ６１がタイトル鍵データ２００のコピー回数（暗号化部９２にタイトル鍵データ２００を２回以上、暗号化させてメモリカードに記録させた回数）をカウントする（Ｓ１）。
【００７７】
次に、ＣＰＵ６１はＳ１でカウントしたコピー回数がコピー上限回数に到達したか否かを判定し、カウントした回数がコピー上限回数に到達したときはＳ３に動作を進め、そうでなければＳ１に戻る。Ｓ３では、ＣＰＵ６１が不能化処理部９５に指示して不能化処理を行い、その後、動作を終了する。
【００７８】
上記の場合、メモリカード３９にタイトル鍵データ２００ｗを書き込むとコピー回数がコピー上限回数に達するので、メモリカード１９に記録されているタイトル鍵データ２００ｘは不能化され、メモリカード３９にはムーブが行われたのと同等になる。
【００７９】
以上のようにすることで、メモリカード１９に記録した番組データ１００ｘを所定のコピー上限回数の範囲内で他の外部メディアにコピーすることができる。このとき、番組データ１００ｘは、各メモリカードそれぞれに対し、再暗号化を行うことなく記録された状態でそのままコピーされるため、高速にコピーすることが可能である。
【００８０】
なお、Ｓ１、Ｓ２では、コピー回数を加算してコピー上限回数に到達したか否かを判定しているが、コピー回数をコピー上限回数から減算して０になったときにＳ３を実行するようにしてもよい。
【００８１】
（別の動作例２）
次に、デジタル放送受信装置１１では、複数の番組データのうち、所望の番組データを選択して移動またはコピーすることもできる。この場合、ＣＰＵ６１が図９に示すフローチャートに沿って動作を制御している。なお、番組データのコピーが禁止されているときは番組データの移動だけが可能であり、番組データのコピーが許可されている場合はコピー上限回数の範囲内で番組データのコピーが可能である。
【００８２】
まず、ＣＰＵ６１は選択制御手段としての動作を行い、移動またはコピーする対象としての番組データを選択させる画面（図示せず）を液晶表示装置１４に表示させる（Ｓ１０）。
【００８３】
ここで、ＣＰＵ６１はユーザが所望の番組データを選択するまで待機する（Ｓ１１）。ＣＰＵ６１は番組データが選択されるとＳ１２に動作を進め、検知手段としての動作を行い、選択された番組データについてのコピー制限情報を取得する。ここで、コピー制限情報とは、各番組データについて、コピーできるのかどうかおよびコピーできる場合のコピー上限回数を示すデータである。
【００８４】
そして、ＣＰＵ６１はコピー制限情報にしたがい、番組データがコピー可能などうかを判定し、コピー可能の場合はＳ１４、そうでなければＳ１８に動作を進める。
【００８５】
Ｓ１４に進む場合は、Ｓ１４，Ｓ１５，Ｓ１６を順次実行して、上述した別の動作例１のようにして、複数のメモリカード２９，３９に番組データおよび対応するタイトル鍵データを記録する。すなわち、ＣＰＵ６１はＳ１４でカウントしたコピー回数がコピー上限回数に到達したか否かを判定し、カウントしたコピー回数がコピー上限回数に到達したときはＳ１８に動作を進め、そうでなければＳ１５に動作を進める。
【００８６】
Ｓ１５では、番組データ１００ｘの記録処理および図７に示したように、タイトル鍵データの暗号化記録処理（暗号化部９２による暗号化および暗号化されたタイトル鍵データの記録）を行い、Ｓ１６では、タイトル鍵データ２００のコピー回数を示すコピーカウンタをカウントアップし、その後、Ｓ１０に戻る。
【００８７】
一方、Ｓ１７に動作を進めると、ＣＰＵ６１は番組データ１００ｘの記録処理およびタイトル鍵データの暗号化記録処理（暗号化部９２による暗号化および暗号化されたタイトル鍵データの記録）を行い、続くＳ１８では、不能化処理（不能化処理部９５によるタイトル鍵データ２００ｘの不能化処理）を行い、タイトル鍵データ２００ｘを使用不能にする。
【００８８】
また、ＣＰＵ６１は続いてＳ１９に動作を進めて表示制御手段としての動作を行い、Ｓ１１で選択された番組データについてはメモリカード１９などに移動済みであることを示す移動済み表示を液晶表示装置１４に表示させて一連の動作を終了する。
【００８９】
以上のようにすると、録画した番組データが複数ある場合において、メモリカード１９等を用いて番組を再生しようとするタイトルをユーザが選択でき、しかも選択された番組データそれぞれのコピー制限情報に応じて、番組データを移動またはコピーすることができる。しかしながら、この場合でも、番組データは、すでにメモリカード１９等に記録されており、実際にデータを移動させる処理を要しないので、移動に要する時間を待たずに再生を行える。
【００９０】
また、Ｓ１１で選択された映像データについては移動済み表示が行われるので、この移動済み表示により、録画した番組がどこに記録されているのかという映像データの記録先を明確にすることができる。
【００９１】
（別の動作例３）
次に、デジタル放送受信装置１１により、メモリカード１９等に記録している暗号化したコピー制限情報（コピー上限回数、コピー回数）を処理する場合の動作について図１０を参照して説明する。
【００９２】
この場合、暗号化部９６が複製情報暗号化手段としての動作を行い、コピー制限情報２１０を装置鍵データ２０１を用いて暗号化して、暗号化されたコピー制限情報２１０ｘを生成する。生成されたコピー制限情報２１０ｘはＣＰＵ６１が複製情報記録制御手段としての動作を行い、タイトル鍵データ２００ｙとともにメモリカード１９に記録させる。
【００９３】
また、復号化部１２３が複製情報復号化手段としての動作を行い、コピー制限情報２１０ｘを装置鍵データ２０１を用いて復号化してコピー制限情報２１０を生成する。
【００９４】
デジタル放送受信装置１１は、以上のような暗号化部９６および復号化部１２３を有する場合において、ＣＰＵ６１が図１１に示すフローチャートに沿って動作を制御している。
【００９５】
まず、復号化部１２３がメモリカード１９から暗号化されているコピー制限情報２１０ｘを読み取り（Ｓ２１）、続いて読み取ったコピー制限情報２１０ｘを復号してコピー制限情報２１０を生成する（Ｓ２２）。
【００９６】
そして、ＣＰＵ６１はＳ２３に動作を進めて判定手段としての動作を行い復号したコピー制限情報２１０にしたがい番組データがコピー可能などうかを判定し、コピー可能の場合はＳ２４、そうでなければＳ２８に動作を進める。
【００９７】
ＣＰＵ６１はＳ２４に動作を進めると、コピーした回数（コピー回数）がコピー上限回数に到達したか否かを判定し、コピー回数がコピー上限回数に到達したときはＳ２９に動作を進め、そうでなければＳ２５に動作を進める。
【００９８】
Ｓ２５では、ＣＰＵ６１が番組データ処理手段としての動作を行い番組データ１００ｘを複製するため、他の記録媒体（例えばメモリカード２９）への番組データ１００ｘの記録処理および図７に示したようにしてタイトル鍵データの暗号化記録処理（暗号化部９２による暗号化および暗号化されたタイトル鍵データの記録）が行われる。
【００９９】
また、Ｓ２６では、ＣＰＵ６１はコピーカウンタを更新する。続いてＳ２７では、ＣＰＵ６１が更新したコピーカウンタを用いてコピー制限情報２１０を更新するとともに、更新後のコピー制限情報２１０を暗号化部９６に暗号化させて、暗号化されたコピー制限情報２１０をメモリカード１９等に記録させる。ＣＰＵ６１はその後、Ｓ２１に戻って上記の動作を繰り返す。
【０１００】
一方、Ｓ２８に進むときは、ＣＰＵ６１は番組データ処理手段としての動作を行いメモリカード１９から暗号化した番組データを読み出して別のメモリカード（例えば、メモリカード２９）に移動させるとともに、その移動先のメモリカード２９に応じて暗号化したタイトル鍵データを生成して記録させるタイトル鍵データの移動処理を行う。続くＳ２９では、コピー制限情報２１０の不能化処理を行い（例えば、不能化フラグに使用不能であることを示すデータをセットする）、一連の動作を終了する。
【０１０１】
以上のようにすることで、コピー制限情報を不当に改ざんされたりすることなく、所望のコピー操作を行うことができる。
【０１０２】
上記の実施形態では、放送受信装置として液晶表示装置１４を備えたテレビジョン受信装置としてのデジタル放送受信装置１１を例にとって説明しているが、本実施の形態は、パーソナルコンピュータやＤＶＤレコーダ、さらには携帯電話機といった放送受信機能を備え番組データの記録や再生を行える装置にも適用することもできる。
【０１０３】
さらには、インターネットやＣＤＮ（Contents  Delivery  Network）等のネットワーク経由で配信される放送番組に対しても同様に利用可能である。
【０１０４】
また、デジタル放送受信装置１１にディスクレコーダとしてＨＤＤが接続される場合を例にとって説明しているが、本発明は、ＤＶＤ−Ｒ、ＤＶＤ−ＲＡＭなどの光ディスクを用いるディスクレコーダが接続される場合についても適用することができる。
【０１０５】
なお、以上の説明では、不能化処理部９５がタイトル鍵データ２００ｘを使用できないように使用不能にしているが、不能化処理部９５はタイトル鍵データ２００ｘを消去してもよいし、消去したことを示すフラグをセットしてもよい。
【０１０６】
また、タイトル鍵データ２００ｙがメモリカード１９に記録されたことをもってタイトル鍵データ２００ｘをメモリカード１９に移動させたことを示す移動フラグをセットし、タイトル鍵データ２００ｙがメモリカード１９から消去したときに移動フラグを消去してもよい。こうして、タイトル鍵データ２００を管理することもできる。
【０１０７】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【０１０８】
【図１】本発明の実施の形態に係るデジタル放送受信装置と、デジタル放送受信装置に接続されるメモリカードと、ＨＤＤとを示す図である。
【図２】ネットワークシステムの構成を示すブロック図である。
【図３】デジタル放送受信装置の内部の主要な構成を示すブロック図である。
【図４】デジタル放送受信装置における映像データの認証記録に関わる構成を図示したブロック図である。
【図５】デジタル放送受信装置における映像データの認証記録に関わる構成を図示した別のブロック図である。
【図６】デジタル放送受信装置における映像データの認証記録に関わる構成を図示したさらに別のブロック図である。
【図７】デジタル放送受信装置における映像データの認証記録に関わる構成のうの暗号化部を図示したブロック図である。
【図８】デジタル放送受信装置における映像データの認証記録に関わる動作手順の一例を示すフローチャートである。
【図９】デジタル放送受信装置における映像データの認証記録に関わる別の動作手順を示すフローチャートである。
【図１０】デジタル放送受信装置における映像データの認証記録に関わる構成のうのコピー制限情報の暗号化部、復号化部を図示したブロック図である。
【図１１】デジタル放送受信装置における映像データの認証記録に関わる更に別の動作手順を示すフローチャートである。
【符号の説明】
【０１０９】
１１，１５１…デジタル放送受信装置、１９，２９，３９…メモリカード、２１…ＬＡＮ端子、２５…ＨＤＤ、６０…制御部、６１…ＣＰＵ、９１，９２、９６…暗号化部、９５…不能化処理部、１００，１００ｘ…番組データ、１２１，１２２，１２３…復号化部、２００、２００ｘ、２００ｙ、２００ｚ、２００ｗ…タイトル鍵データ、２０１…装置鍵データ、２０２，２０３，２０４…媒体鍵データ、１０２…再生処理部。
【図１】
2009060518.tif 000003
【図２】
2009060518.tif 000004
【図３】
2009060518.tif 000005
【図４】
2009060518.tif 000006
【図５】
2009060518.tif 000007
【図６】
2009060518.tif 000008
【図７】
2009060518.tif 000009
【図８】
2009060518.tif 000010
【図９】
2009060518.tif 000011
【図１０】
2009060518.tif 000012
【図１１】
2009060518.tif 000013